(57)【要約】【課題】水管継手構造の提供。【解決手段】一種の水管継手構造、特にその水管の万能継手を水管継手に接続し、そのメス部材は散水器およびその他の散水設備を取り付けることができる。その水管とメス部材の間に漏れ防止部材を設け、水管継手は引き止め端部によりメス部材内孔の突起部底面に止められて、水管継手の頂面は変形された拡孔によりフランジを形成し、メス部材突起部の頂面に引き止められる。またはその水管継手に溝を設け、メス部材は溝の場所に合わせて、突起部または突起点を圧入して、固定溝に噛み合わせて、水管継手とメス部材が離れないように位置を固定する。さらに、水管継手とメス部材の回転運動により、互いに干渉することがない。【選択図】図１
2006258281.tif 000002
【特許請求の範囲】
【請求項１】
メス部材は内孔と内孔に突起部を設ける；
水管継手は漏れ防止部材を設け、水管継手に引き止め部を設ける；
水管継手をメス部材に組み込んだ後、その水管継手の頂面は変形された拡孔によりフランジを形成し、メス部材突起部の頂面にあてる。；
前述の構成により、水管継手とメス部材の間に漏れ防止部材を設け、水管継手の引き止め部はメス部材内孔に設ける突起部の底面によって引き止められて、水管継手の脱けだしを防止し、水管継手とメス部材が連携して回転運動の効果を実現することを特徴とする一種の水管継手構造。
【請求項２】
請求項１記載の水管継手構造において、該メス部材はオスネジ山及び軟質手持ち端を設けることを特徴とする、水管継手構造。
【請求項３】
メス部材は内孔と内孔に突起部を設ける；
水管継手は漏れ防止部材を設け、水管継手に引き止め部を設ける；
水管継手をメス部材に組み込んだ後、そのメス部材は変形により形成した突起部または突起点により、固定溝に圧入される；
前述の構成により、水管継手とメス部材の間に漏れ防止部材を設け、水管継手の引き止め部はメス部材内孔に設ける突起部の底面によって引き止められて、水管継手の脱けだしを防止し、水管継手とメス部材が連携して回転運動の効果を実現することを特徴とする一種の水管継手構造。
【発明の詳細な説明】
【技術分野】
【０００１】
本発明は一種の水管継手構造に関わるものであり、特にその水管の万能継手を水管継手に接続し、そのメス部材は散水器およびその他の散水設備を取り付けることができ、その水管とメス部材の間に漏れ防止部材を設け、水管継手は引き止め端部により、メス部材内孔の突起部底面に止められて、水管継手の頂面は変形された拡孔によりフランジを形成し、メス部材突起部の頂面に引き止められる。またはその水管継手に溝を設け、メス部材は溝の場所に合わせて、突起部または突起点を圧入して固定溝に噛み合わせて、水管継手とメス部材が離れないように位置を固定する。さらに、水管継手とメス部材の回転運動により、互いに干渉することがない。
【背景技術】
【０００２】
公知の水管は延ばし、引っ張り、巻き込みするなどにより、よじれを発生する。回転ができない継手は、水管がよじれることにより、水流に影響を与える。さらに、水管の収納また延ばして、引っ張った状態で使用するため、そのような固定式の水管継手では、水管のよじれを解決できないばかりでなく、水管のよじれにより、使用に支障を発生する欠点がある。
【発明の開示】
【発明が解決しようとする課題】
【０００３】
本発明は、前述の各欠点を解決し、一種の水管継手構造を提供する。そのうち、その水管継手構造はメス部材と水管継手を設け、その間に漏れ防止部材を取り付けて、水管継手は水管に接続し、メス部材は散水設備に接続する。水管継手は引き止め端部によりメス部材内孔の突起部底面に止められて、水管継手の頂面は変形された拡孔によりフランジを形成し、メス部材突起部の頂面に引き止められる。またはその水管継手に溝を設け、メス部材は溝の場所に合わせて、突起部または突起点を圧入して、固定溝に噛み合わせて、水管継手とメス部材が離れないように位置を固定する。さらに、水管継手とメス部材の回転運動により、互いに干渉することがない。
【課題を解決するための手段】
【０００４】
請求項１の発明は、メス部材は内孔と内孔に突起部を設ける；
水管継手は漏れ防止部材を設け、水管継手に引き止め部を設ける；
水管継手をメス部材に組み込んだ後、その水管継手の頂面は変形された拡孔によりフランジを形成し、メス部材突起部の頂面にあてる。；
前述の構成により、水管継手とメス部材の間に漏れ防止部材を設け、水管継手の引き止め部はメス部材内孔に設ける突起部の底面によって引き止められて、水管継手の脱けだしを防止し、水管継手とメス部材が連携して回転運動の効果を実現することを特徴とする一種の水管継手構造としている。
請求項２の発明は、請求項１記載の水管継手構造において、該メス部材はオスネジ山及び軟質手持ち端を設けることを特徴とする、水管継手構造としている。
請求項３の発明は、メス部材は内孔と内孔に突起部を設ける；
水管継手は漏れ防止部材を設け、水管継手に引き止め部を設ける；
水管継手をメス部材に組み込んだ後、そのメス部材は変形により形成した突起部または突起点により、固定溝に圧入される；
前述の構成により、水管継手とメス部材の間に漏れ防止部材を設け、水管継手の引き止め部はメス部材内孔に設ける突起部の底面によって引き止められて、水管継手の脱けだしを防止し、水管継手とメス部材が連携して回転運動の効果を実現することを特徴とする一種の水管継手構造としている。
【発明の効果】
【０００５】
本発明の主な目的は、前述の各欠点を解決し、一種の水管継手構造を提供する。そのうち、その水管継手構造はメス部材と水管継手を設け、その間に漏れ防止部材を取り付けて、水管継手は水管に接続し、メス部材は散水設備に接続する。水管継手は引き止め端部によりメス部材内孔の突起部底面に止められて、水管継手の頂面は変形された拡孔によりフランジを形成し、メス部材突起部の頂面に引き止められる。またはその水管継手に溝を設け、メス部材は溝の場所に合わせて、突起部または突起点を圧入して、固定溝に噛み合わせて、水管継手とメス部材が離れないように位置を固定する。さらに、水管継手とメス部材の回転運動により、互いに干渉することがない。
【発明を実施するための最良の形態】
【０００６】
本発明の技術、手段およびその効果をより深く理解に備えるため、ここにて、より良い好ましい実施例を図式と合わせて、以下のとおり詳細説明する。
【０００７】
本発明は一種の水管継手構造に関わるものであり、
図１に示すものは、本考案の立面分解図で、一種の水管継手構造、主に以下のものを含まれる。
【０００８】
メス部材１０、軟質の手持ち端１１を設け、メス部材内孔１２に突起部１３(図３に示す)を設けて、その突起部１３に底面１３と頂面１３２をそれぞれもうける；メス部材１０の外縁にオスネジ山１４を設けて、散水部材(図示していない)を取り付ける。
【０００９】
水管継手２０に万能継手２１、突き出す引き止め部２２、漏れ防止部材３０を取り付ける溝２３を設け、その漏れ防止部材３０は漏れ防止パッキングを使っても良い。
【００１０】
前述の部品により、本発明の水管継手構造を構成する。
【００１１】
図２に示すものは、本発明の組合せ断面図である。その組合せ関係は、水管継手２０とメス部材１０の間に漏れ防止部材３０を設け、その漏れ防止部材３０は水管継手２０の溝２３に固定され、水管継手２０は引き止め部２２によりメス部材１０の内孔１２突起部１３の底面１３１に止められて、水管継手２０の頂面は変形された拡孔によりフランジ２４を形成し、メス部材１０突起部１３の頂面１３２に引き止められて位置を固定し、水管継手２０とメス部材１０を分離する心配がないほか、水管継手２０とメス部材１０に合わせて回転運動するため、互いに干渉しない。
【００１２】
前述の水管継手２０の万能継手２１は水管を迅速に組合せに提供するものであり、そのメス部材１０のオスネジ山１４は散水部材の取付けに提供する。
【００１３】
図３に示すものは、本発明もう一つの好ましい実施例の組合せ断面図である。その組合せ関係は、水管継手２０とメス部材１０の間に漏れ防止部材３０を設け、その漏れ防止部材３０は水管継手２０の溝２３に固定され、水管継手２０は引き止め部２２によりメス部材１０の内孔１５突起部１３の底面１３１に止められて、水管継手２０の頂面は変形された拡孔によりフランジ２５を形成し、メス部材１０突起部２５の頂面１５に引き止められて位置を固定し、水管継手２０とメス部材１０を分離する心配がないほか、水管継手２０とメス部材１０に合わせて回転運動するため、互いに干渉しない。
【００１４】
前述に説明したとおり、本発明の水管継手構造は、水管継手とメス部材が連携して回転運動により、互いに干渉することなく、水管のよじれに故障発生して、水が順調に流れないことを防止できるほか、その連携回転運動により、水漏れを防止できるるため、より実用性の高い水管継手構造を実現する。
【図面の簡単な説明】
【００１５】
【図１】本発明の水管継手構造の立体分解図である。
【図２】本発明の水管継手構造の組合せ断面図である。
【図３】本発明の水管継手構造もう一つのより好ましい実施例の組合せ断面図である。
【符号の説明】
【００１６】
１０  メス部材
１１  手持ち端
１２  内孔
１３  突起部
１３１  底面
１３２  頂面
１４  オスネジ山
１５  内孔
１６  突起部または突起点
２０  水管継手
２１  万能継手
２２  引き止め部
２３  溝
２４  フランジ
２５  固定溝
３０  漏れ防止部材
【図１】
2006258281.tif 000003
【図２】
2006258281.tif 000004
【図３】
2006258281.tif 000005